【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】  ベニア加工されたパネルエレメントであって、
ベニア加工されたコア、延在された内縁に沿った溝、および内縁に対向して延在された外縁に沿ったエッジバンドを有する、第１のスタイルと、
ベニア加工されたコア、延在された内縁に沿った溝、および内縁に対向して延在された外縁に沿ったエッジバンドを有する、第２のスタイルと、
ベニア加工されたコアおよび延在された内縁に沿った溝を有する第１のレールであって、当該第１のレールは、第１の端部に第１のコープおよび第２の端部に第２のコープを有し、第１のレールは第１および第２のスタイルの間に配置され、第１のレールの第１のコープは、第１のスタイルの第１の端部の付近で第１のスタイルの溝に結合され、第１のレールの第２のコープは、第２のスタイルの第１の端部の付近で第２のスタイルの溝に結合される、第１のレールと、
ベニア加工されたコアおよび延在された内縁に沿った第１の溝を有する第２のレールであって、当該第２のレールは、第１の端部に第１のコープおよび第２の端部に第２のコープを有し、第２のレールは第１および第２のスタイルの間に配置され、第２のレールの第１のコープは、第１のスタイルの溝に結合され、第２のレールの第２のコープは第２のスタイルの溝に結合される、第２のレールと、
ベニア加工されたコアを有し、第１のスタイルと第１のレールの溝内に配置された外縁を有する、第１の中央パネルと、
第１のスタイルの第１の端部、第１のレールの外縁、および第２のスタイルの第１の端部に配置された第１の連続エッジバンドであって、当該第１のエッジバンドは、第１のスタイルと第１のレールの間に形成された第１の結合、および第２のスタイルと第１のレールの間に形成された第２の結合を覆うように配置される、第１の連続エッジバンドと、
を含むパネルエレメント。
【請求項２】  第２のレールの第１のコープは、第１のスタイルの第２の端部の付近で第１のスタイルの溝に結合され、第２のレールの第２のコープは、第２のスタイルの第２の端部の付近で第２のスタイルの溝に結合され、
エレメントはさらに、第１のスタイルの第２の端部、第２のレールの外縁、および第２のスタイルの第２の端部に配置された第２の連続エッジバンドであって、当該第２のエッジバンドは、第１のスタイルと第２のレールの間に形成された第３の結合、および第２のスタイルと第２のレールの間に形成された第４の結合を覆うように配置される、第２の連続エッジバンドを有する、
請求項１に記載のパネルエレメント。
【請求項３】  第１の中央パネルは、エレメントに含まれる唯一の中央パネルであって、第１の中央パネルは、第２のスタイルの溝と第２のレールの第１の溝内に配置された外縁を有する、請求項２に記載のパネルエレメント。
【請求項４】  第１の中央パネルは、レイズドパネルを含む、請求項１に記載のパネルエレメント。
【請求項５】  ベニア加工されたパネルエレメントは、ドアを含む、請求項１に記載のエレメント。
【請求項６】  第１のスタイル、第２のスタイル、第１のレール、および第２のレールの延在された内縁は、パターン輪郭を有する、請求項１に記載のパネルエレメント。
【請求項７】  第１のスタイル、第２のスタイル、および第１のレールの外縁は、パターン輪郭を有する、請求項１に記載のパネルエレメント。
【請求項８】  第２のレールの第１のコープは、第１のスタイルの第１の端部と第２の端部の間で第１のスタイルの溝に結合され、第２のレールの第２のコープは、第２のスタイルの第1の端部と第２の端部の間で第２のスタイルの溝に結合され、第２のレールは、延在された内縁に対向する第２の延在された縁部に配置された第２の溝を有し、
パネルエレメントはさらに、ベニア加工されたコアおよび延在された内縁に沿った溝を有する第３のレールであって、当該第３のレールは、第１の端部に第１のコープおよび第２の端部に第２のコープを有し、第３のレールは、第１および第２のスタイルの間に配置され、第３のレールの第１のコープは、第１のスタイルの第２の端部の付近で第１のスタイルの溝に結合され、第３のレールの第２のコープは、第２のスタイルの第２の端部の付近で第２のスタイルの溝に結合される、第３のレールと、
ベニア加工されたコアを含み、第１のスタイルの溝と第３のレールの溝内に配置された外縁を有する第２の中央パネルと、
を有する請求項１に記載のパネルエレメント。
【請求項９】  第１および第２の中央パネルは、エレメントに含まれる唯一の中央パネルで、第１の中央パネルは、第２のスタイルの溝と第２のレールの第１の溝内に配置された外縁を有し、第２の中央パネルは、第２のスタイルの溝と第２のレールの第２の溝内に配置された外縁を有する、請求項８に記載のパネルエレメント。
【請求項１０】  第２の連続エッジバンドは、第１のスタイルの第２の端部、第３のレールの外縁、および第２のスタイルの第２の端部に配置され、第２の連続エッジバンドは、第１のスタイルと第３のレールの間に形成された第３の結合と、第２のスタイルと第３のレールの間に形成された第４の結合を覆うように配置される、請求項８に記載のパネルエレメント。
【請求項１１】  第１および第２の中央パネルは、レイズドパネルである、請求項８に記載のパネルエレメント。
【請求項１２】  第１のスタイル、第２のスタイル、第１のレール、第２のレール、および第３のレールの延在された内縁はパターン輪郭を有し、第２のレールの第２の延在された縁部はパターン輪郭を有する、請求項８に記載のパネルエレメント。
【請求項１３】  第１のスタイル、第２のスタイル、第１のレール、および第３のレールの外縁は、パターン輪郭を有する、請求項８に記載のパネルエレメント。
【請求項１４】  ベニア加工されたパネルエレメントであって、
ベニア加工されたコア、延在された内縁に沿った溝、および内縁に対向して延在された外縁に沿ったエッジバンドを有する、第１のスタイルと、
ベニア加工されたコア、延在された内縁に沿った溝、および内縁に対向して延在された外縁に沿ったエッジバンドを有する、第２のスタイルと、
ベニア加工されたコアおよび延在された内縁に沿った溝を有する第１のレールであって、当該第１のレールは、第１の端部に第１のコープおよび第２の端部に第２のコープを有し、第１のレールは第１および第２のスタイルの間に配置され、第１のレールの第１のコープは、第１のスタイルの第１の端部の付近で第１のスタイルの溝に結合され、第１のレールの第２のコープは、第２のスタイルの第１の端部の付近で第２のスタイルの溝に結合される、第１のレールと、
ベニア加工されたコアおよび延在された内縁に沿った溝を有する第２のレールであって、第２のレールは、第１の端部に第１のコープおよび第２の端部に第２のコープを有し、第２のレールは、第１および第２のスタイルの間に配置され、第２のレールの第１のコープは、第１のスタイルの第２の端部の付近で第１のスタイルの溝に結合され、第２のレールの第２のコープは、第２のスタイルの第２の端部の付近で第２のスタイルの溝に結合される、第２のレールと、
第１のスタイルと第1のレールの溝内に配置された、第1の中央パネルコーナー領域と、
第1のスタイルと第２のレールの溝内に配置された、第２の中央パネルコーナー領域と、
第２のスタイルと第２のレールの溝内に配置された、第３の中央パネルコーナー領域と、
第２のスタイルと第１のレールの溝内に配置された、第４の中央パネルコーナー領域と、
第1のスタイルの第1の端部、第1のレールの外縁、および第２のスタイルの第１の端部に配置された第１の連続エッジバンドであって、第１の連続エッジバンドは、第1のスタイルと第1のレールの間に形成された第1の結合、および第２のスタイルと第１のレールの間に形成された第２の結合を覆うように配置された、第１の連続エッジバンドと、
第１のスタイルの第２の端部、第２のレールの外縁、および第２のスタイルの第２の端部に配置された第２の連続エッジバンドであって、第２の連続エッジバンドは、第１のスタイルと第２のレールの間に形成された第３の結合、および第２のスタイルと第２のレールの間に形成された第４の接合を覆うように配置された、第２の連続エッジバンドと、
を含むパネルエレメント。
【請求項１５】  単一の中央パネルは、第１、第２、第３、および第４のコーナー領域を含む、請求項１４に記載のパネルエレメント。
【請求項１６】  第1の中央パネルは、第1および第２のコーナー領域を有する、請求項１４に記載のパネルエレメント。
【請求項１７】  第２の中央パネルは、第３および第４のコーナー領域を有する、請求項１６に記載のパネルエレメント。
【請求項１８】  第1の中央パネルは、第1および第４のコーナー領域を有する、請求項１４に記載のパネルエレメント。
【請求項１９】  第２の中央パネルは、第２および第３のコーナー領域を有する、請求項１８に記載のパネルエレメント。
【請求項２０】  第１の中央パネルは第１のコーナー領域を有し、第２の中央パネルは第２のコーナー領域を有し、第３の中央パネルは第３のコーナー領域を有し、第４の中央パネルは第４のコーナー領域を有する、請求項１４に記載のベニア加工されたパネルエレメント。
【請求項２１】  中央パネルコーナー領域は、レイズドパネルコーナー領域である、請求項１４に記載のベニア加工されたパネルエレメント。
【請求項２２】  ベニア加工されたパネルエレメントはドアを含む、請求項１４に記載のパネルエレメント。
【請求項２３】  第1のスタイル、第２のスタイル、第1のレール、および第２のレールの延在された内縁はパターン輪郭を有する、請求項１４に記載のパネルエレメント。
【請求項２４】  第１のスタイル、第２のスタイル、第１のレール、および第２のレールの外縁はパターン輪郭を有する、請求項１４に記載のパネルエレメント。
【請求項２５】  ベニア加工されたパネルエレメントの製造方法であって、
第１、第２のベニア加工されたスタイル、および第1、第２のベニア加工されたレールの各々の延在された内縁に沿って溝を形成し、
ベニア加工された各レールの第１および第２の端部にコープを形成し、各コープは、ベニア加工された対応するスタイルの溝に結合するように形成され、
ベニア加工された第１、第２のスタイル、ベニア加工された第１、第２のレール、およびベニア加工された中央パネルを組み立て、中央パネルは、第１、第２のスタイル、および第１、第２のレールの溝の内側に配置された外縁を有しており、
第１のスタイルの第１の端部、第１のレールの外縁、および第２のスタイルの第１の端部に第１の連続エッジバンドを取り付け、第１のエッジバンドは、第１のスタイルと第１のレールの間、および第２のスタイルと第１のレールの間に形成された接合を覆うように配置される、
パネルエレメントの製造方法。
【請求項２６】  製造方法はさらに、第１のスタイルの第２の端部、第２のレールの外縁、および第２のスタイルの第２の端部に第２の連続エッジバンドを取り付けることを含み、第２のエッジバンドは、第１のスタイルと第２のレール、および第２のスタイルと第２のレールの間に形成された接合を覆うように配置される、請求項２５に記載のパネルエレメントの製造方法。
【請求項２７】  製造方法はさらに、
第１のスタイルの外縁に第３のエッジバンドを取り付けること、および
第２のスタイルの外縁に第４のエッジバンドを取り付けることを含む、請求項２６に記載のパネルエレメントの製造方法。
【請求項２８】  製造方法はさらに、エッジバンドを取り付ける前に、第１および第２のスタイルの外縁と、第１および第２のレールの外縁にパターン輪郭を形成することを含む、請求項２７に記載のパネルエレメントの製造方法。
【請求項２９】  エッジバンドの取り付けは、エッジバンダー機によって行われる、請求項２７に記載のパネルエレメントの製造方法。
【請求項３０】  製造方法はさらに、第１のエッジバンドを取り付ける前に、第１のレールの外縁、第１および第２のスタイルの第１の端部をトリミングすることを含む、請求項２５に記載のパネルエレメントの製造方法。
【請求項３１】  中央パネルは、レイズドパネルである、請求項２５に記載のパネルエレメントの製造方法。
【請求項３２】  製造方法はさらに、前記スタイルおよび前記レールの延在された内縁の各々にパターン輪郭を形成すること、および溝を形成する前にパターン輪郭付けされた内縁上にベニアを貼り付けることを含む、請求項２５に記載のパネルエレメントの製造方法。
【請求項３３】  パターン輪郭の形成、ベニアの貼り付け、および溝の形成は、ソフトフォーマー機によって行われる、請求項３２に記載のパネルエレメントの製造方法。
【請求項３４】  コープの形成は、ダブルエンドテンナー機によって行われる、請求項２５に記載のパネルエレメントの製造方法。
【請求項３５】  組み立ては、スタイル、レール、および中央パネルを、ステープルを用いないで接着剤で貼り付けることを含む、請求項２５に記載のパネルエレメントの製造方法。
【請求項３６】  溝の形成、コープの形成、およびエッジバンドの取り付けは、単一または複数のコンピューター制御された機械によって行われる、請求項２５に記載のパネルエレメントの製造方法。